(57)【要約】【課題】必要な操作以外の不要な操作を排除し、しかも操作ハンドルの動作を必要最低限に規制してクレセント自身や障子を保護するクレセントを提供する。【解決手段】引き違い障子の室内側召合框３０の側面に設けられる箱形の本体部１と、本体部１の上面１ａに軸支され上面１ａとの間に隙間を有して回動自在とされた操作ハンドル２とからなるクレセントにおいて、本体部１の上面１ａは施錠状態にある操作ハンドル２の室内側隣接位置にストッパ１０を備え、ストッパ１０は本体部１の上面１ａから操作ハンドル２との隙間よりも低い突出状に形成し、操作ハンドル２は側面に本体部１の上面１ａに向かって突出するロック部２０を備え、ロック部２０は施錠状態にある操作ハンドル２の側面においてストッパ１０の隣接位置からストッパ１０に係らない位置までスライド自在とされてなる。【選択図】図１
2005232726.tif 000002
【特許請求の範囲】
【請求項１】
引き違い障子の室内側召合框の側面に設けられる箱形の本体部と、該本体部の上面に軸支され該上面との間に隙間を有して回動自在とされた操作ハンドルとからなり、該操作ハンドルの回動に伴って上記引き違い障子を施錠及び開錠するクレセントにおいて、
上記本体部の上面は施錠状態にある上記操作ハンドルの室内側隣接位置にストッパを備え、該ストッパは上記本体部の上面から上記操作ハンドルとの隙間よりも低い突出状に形成し、上記操作ハンドルは側面に上記本体部の上面に向かって突出するロック部を備え、
上記ロック部は施錠状態にある上記操作ハンドルの側面において上記ストッパの隣接位置から上記ストッパに係らない位置までスライド自在とされてなることを特徴とするクレセント。
【請求項２】
上記ロック部は上記ストッパの隣接位置にあるときに上記ストッパの側面に当接することを特徴とする請求項１記載のクレセント。
【請求項３】
上記ロック部は上記操作ハンドルの両側面にそれぞれスライド部を備え、各スライド部は連係してスライドすることを特徴とする請求項１または２記載のクレセント。
【請求項４】
上記本体部の上面は施錠状態にある上記操作ハンドルの室外側隣接位置に第２ストッパを備え、該第２ストッパは上記操作ハンドルの側面に当接する当接面を有してなることを特徴とする請求項１〜３のいずれか１項に記載のクレセント。
【請求項５】
上記本体部の上面は開錠状態にある上記操作ハンドルの室外側隣接位置に第３ストッパを備え、該第３ストッパは上記操作ハンドルの側面に当接する当接面を有してなることを特徴とする請求項１〜４のいずれか１項に記載のクレセント。
【発明の詳細な説明】
【技術分野】
【０００１】
本発明は引き違い障子の召合せ框に設けられ障子を施錠するクレセントに関し、特に警報機能を備え操作ハンドルの動作を規制することのできるクレセントに関する。
【背景技術】
【０００２】
建物開口部に設けられ、引き違い障子を備えたサッシには、障子の召合せ框に施錠のためにクレセントが設けられることが多い。クレセントは引き違い障子の室内側障子に設けられ、クレセント受け具が室外側障子に設けられる。クレセントの構成としては、障子の召合せ框に設けられる本体部と、この本体部に回動自在に軸支される操作ハンドルとからなり、操作ハンドルには施錠時にクレセント受け具と連係して障子を固定する爪状部を設けている。また、本体部には施錠時に操作ハンドルをロックする機構を設けていることもある。
【０００３】
さらに、このクレセントが警報機能を有するように構成したものが知られている。例えば特許文献１に示すように、クレセントの本体部またはそれに隣接してクレセントによる施錠及び開錠を検出するセンサを設ける。このセンサによってクレセントの施錠及び開錠を検出したら、建物内のいずれかの場所に設置された受信機にその旨の信号を送信し、外出時など所定の場合にはその受信機から警報を発報する。
【特許文献１】特開２００３−２７７８５号公報
【発明の開示】
【発明が解決しようとする課題】
【０００４】
しかし、従来のクレセントにおいては、以下に述べる問題点を有していた。
クレセントの操作ハンドルは、障子の施錠状態と開錠状態を切り替えるために必要な角度範囲だけ回動することが必要である。しかし、それ以外の角度範囲に回動すると障子の他の部分と干渉し、障子やクレセント自身を破損するおそれがある。また、障子を施錠状態とし、操作ハンドルをロックした際には、ロックしたままクレセントを操作することでクレセントに無理な力がかかることがないように、ロックしたことを明確に視認できる必要がある。特に、警報機能を有している場合には、必要な操作以外で信号を発信しないように、不要な操作をできるだけ排除する必要がある。
【０００５】
本発明は、上記課題を解決すべくなされたものであり、必要な操作以外の不要な操作を排除し、しかも操作ハンドルの動作を必要最低限に規制してクレセント自身や障子を保護するクレセントを提供することを目的とする。
【課題を解決するための手段】
【０００６】
本発明に係るクレセントは上記課題を解決するため、引き違い障子の室内側召合框の側面に設けられる箱形の本体部と、該本体部の上面に軸支され該上面との間に隙間を有して回動自在とされた操作ハンドルとからなり、該操作ハンドルの回動に伴って上記引き違い障子を施錠及び開錠するクレセントにおいて、
上記本体部の上面は施錠状態にある上記操作ハンドルの室内側隣接位置にストッパを備え、該ストッパは上記本体部の上面から上記操作ハンドルとの隙間よりも低い突出状に形成し、上記操作ハンドルは側面に上記本体部の上面に向かって突出するロック部を備え、
上記ロック部は施錠状態にある上記操作ハンドルの側面において上記ストッパの隣接位置から上記ストッパに係らない位置までスライド自在とされてなることを特徴として構成されている。
【０００７】
また、本発明に係るクレセントは、上記ロック部は上記ストッパの隣接位置にあるときに上記ストッパの側面に当接することを特徴として構成されている。
【０００８】
さらに、本発明に係るクレセントは、上記ロック部は上記操作ハンドルの両側面にそれぞれスライド部を備え、各スライド部は連係してスライドすることを特徴として構成されている。
【０００９】
さらにまた、本発明に係るクレセントは、上記本体部の上面は施錠状態にある上記操作ハンドルの室外側隣接位置に第２ストッパを備え、該第２ストッパは上記操作ハンドルの側面に当接する当接面を有してなることを特徴として構成されている。
【００１０】
そして、本発明に係るクレセントは、上記本体部の上面は開錠状態にある上記操作ハンドルの室外側隣接位置に第３ストッパを備え、該第３ストッパは上記操作ハンドルの側面に当接する当接面を有してなることを特徴として構成されている。
【発明の効果】
【００１１】
本発明に係るクレセントによれば、本体部の上面に操作ハンドルとの隙間よりも低く突出するストッパを備え、操作ハンドルは本体部の上面に向かって突出するロック部を備え、ロック部は操作ハンドルの側面においてストッパの隣接位置からストッパに係らない位置までスライド自在とされていることにより、ロック部のスライドにより施錠状態の操作ハンドルを回動できないようにロックすることができる。また、このロックはクレセントの外表面に形成されたストッパやロック部によりなされるので、ロックの有無を視認しやすく、クレセントによる施錠時に必要な操作以外の不要な操作を排除することができる。特に、本体部に警報機能を有している場合に不要な発報を減少させることができる。
【００１２】
また、本発明に係るクレセントによれば、ロック部はストッパの隣接位置にあるときにストッパの側面に当接することにより、操作ハンドルを施錠状態で解除方向に固定することができる。すなわち、操作ハンドルを固定すれば、その動作に伴って発報する場合に不要な発報をより減少させることができる。
【００１３】
さらに、本発明に係るクレセントによれば、ロック部は操作ハンドルの両側面にそれぞれスライド部を備え、各スライド部は連係してスライドすることにより、操作ハンドルの両面を挟持してスライド動作することができるので、ロック部の操作を容易にすることができる。また、クレセントのロックの視認性も高めることができる。
【００１４】
さらにまた、本発明に係るクレセントによれば、施錠状態における操作ハンドルの室外側隣接位置に当接面を有した第２ストッパを備えていることにより、クレセントが施錠状態となっている際に操作ハンドルがそれ以上室外側に向かって回動しないように動作が規制されるので、無理な回動による障子やクレセント自身の破損を防ぐことができる。また、操作ハンドルの不要な動作をさらに排除することができる。
【００１５】
そして、本発明に係るクレセントによれば、開錠状態における操作ハンドルの室外側隣接位置に当接面を有した第３ストッパを備えていることにより、クレセントが開錠状態となっている際に操作ハンドルがそれ以上室外側に回動しないように動作が規制されるので、無理な回動による障子やクレセント自身の破損を防ぐことができる。また、これによっても操作ハンドルの不要な動作をさらに排除することができる。
【発明を実施するための最良の形態】
【００１６】
本発明の実施形態について図面に沿って詳細に説明する。図１は本実施形態におけるクレセントの全体斜視図である。この図に示すように、本実施形態におけるクレセントは、箱形の本体部１と、この本体部１の上面１ａに軸支されかつ上面１ａとの間に隙間を有して回動自在とされた操作ハンドル２とからなり、操作ハンドル２はさらに爪状部４を備えてなるものである。このクレセントは、建物の開口部に設けられる引き違い障子を備えたサッシにおいて、引き違い障子の一方の召合框に取付けられ、操作ハンドル２の回動操作により爪状部４が他方の召合框に係合して障子を施錠する。なお、図１はクレセントの施錠状態を示しており、操作ハンドル２を矢印方向に約１８０°回動させることで、クレセントは開錠状態となる。
【００１７】
本体部１の内部にはクレセントの警報機能を実現するための機器が内蔵されている。これらは、操作ハンドル２を回動させた際に、それを検出する検出部と、操作ハンドル２の回動を検出した際に、建物内のいずれかに設置される受信機に対して無線信号を発信する発信部と、検出部及び発信部に電源を供給する電源部とからなっている。ただし、これに限らず、クレセントの動作を検出して信号を発信するものであれば、どのような構成であってもよい。ここで、誤報をできるだけ少なくするためには、操作ハンドル２の動作について、できるだけ不要な動作を排除することが必要である。
【００１８】
図２は、クレセントの召合框に対する取付図を示す。この図は、引き違い障子の召合框を側方から見たものであって、図中の右側が室内側、左側が室外側となる。引き違い障子の召合框は、室内側召合框３０と室外側召合框３１とからなり、クレセントの本体部１は室内側召合框３０の側面に取付けられる。一方、室外側召合框３１には、その室内側面に受け金具３２が設けられており、本体部１の高さと略同じ長さだけ側方に突出している。受け金具３２の先端部は鉤状に形成されており、引き違い障子を閉じた状態で、図２のように操作ハンドル２を配置することで、爪状部４は受け金具３２に係合し、引き違い障子を施錠状態とする。
【００１９】
また、図２の状態から操作ハンドル２を時計回りに回動させると、爪状部４の受け金具３２に対する係合が解除され、引き違い障子の施錠状態は解除される。操作ハンドル２は、図２の状態から約１８０°回動したところで完全に施錠を解除した状態、すなわち開錠状態となる。
【００２０】
図３には、本実施形態におけるクレセントの分解斜視図を示す。本体部１は、上面１ａに操作ハンドル２を軸支するための差込孔１ｂを備え、その周囲に上面１ａから同心円状に突出する当接部１ｃが形成されている。さらに、本体部１の上面１ａには、操作ハンドル２の回動を規制するストッパ１０と第２ストッパ１１及び第３ストッパ１２が形成されている。これらのストッパについては後述する。
【００２１】
操作ハンドル２は、施錠金具３を介して本体部１に取付けられる。この施錠金具３は、円弧状に形成されてなる爪状部４を有し、また爪状部４の略中心位置には、操作ハンドル２の軸部２２を挿入するための挿入孔３ｃが形成されている。さらに、操作ハンドル２に対して取付固定するために細長状に形成された取付部３ｂが段差部３ａを介して設けられている。
【００２２】
操作ハンドル２は、本体部１と対向する面に軸部２２を備え、両側面にはロック部２０をスライド自在とする側面溝２１がそれぞれ形成されている。ロック部２０は操作ハンドル２の側面よりも下方に突出しており、操作ハンドル２の両側面にそれぞれ設けられている。さらに、両側面のロック部２０は、互いに連係して動作するように、操作ハンドル２の下面において連結されている。ロック部２０は側面溝２１によってストッパ１０の隣接位置からストッパ１０に係らない位置までをスライド自在とされている。
【００２３】
操作ハンドル２に施錠金具３を取付けると、軸部２２は挿入孔３ｃに挿入され、取付部３ｂは操作ハンドル２の下面に形成された溝（図示しない）に挿入され、固定される。また、施錠金具３は段差部３ａを有していることにより、本体部１に当接する爪状部４よりも本体部１の上面１ａに対して浮き上がった状態で操作ハンドル２が取付けられる。すなわち本体部１の上面１ａと操作ハンドル２とは所定の隙間を有することになる。
【００２４】
施錠金具３を取付けた操作ハンドル２は、軸部２２が本体部１の差込孔１ｂに差込まれて本体部１に対して回動自在とされている。また、施錠金具３の爪状部４は、その下面が本体部１の当接部１ｃに当接する。当接部１ｃは本体部１から突出して形成されているので、当接部１ｃ上で回動する施錠金具３と本体部１との接触面積が小さく、摩擦の影響を少なくして操作ハンドル２の回動を円滑に行うことができるようにしている。
【００２５】
次に、本実施形態における操作ハンドル２の動作を規制する構造について説明する。なお、図３では図の奥側が室内側であり、手前側が室外側となる。操作ハンドル２の動作を規制するストッパは、図３に示すように本体部１の上面１ａに形成されており、ストッパ１０と第２ストッパ１１及び第３ストッパ１２からなっている。ストッパ１０は、本体部１の上面１ａにおける室内側の一側部に突出状に形成されており、その高さは本体部１の上面１ａと操作ハンドル２との間の隙間よりも低くなるように形成されている。つまり、操作ハンドル２をロックしない状態であれば、操作ハンドル２はストッパ１０によって動作を規制されることなく回動することができる。
【００２６】
第２ストッパ１１は、本体部１の上面１ａにおいてストッパ１０と対向する側部に突出状に形成されている。第２ストッパ１１の上面１ａ中央側面は、さらに突出して当接面１１ａを形成している。当接面１１ａは、本体部１の上面１ａと操作ハンドル２との間の隙間よりも高く形成されており、操作ハンドル２の室外側への回動は第２ストッパ１１によって常に規制される。
【００２７】
第３ストッパ１２は、本体部１の上面１ａにおいて第２ストッパ１１と同じ側部であって、本体部１の端部近傍に突出状に形成されている。第３ストッパ１２にも第２ストッパ１１と同様に上面１ａ中央側面に当接面１２ａを形成されている。当接面１２ａは、本体部１の上面１ａと操作ハンドル２との間の隙間よりも高く形成されており、操作ハンドル２の室外側への回動は第３ストッパ１２によって常に規制される。
【００２８】
各ストッパによる操作ハンドル２の動作の規制について図４〜図６に基づいて説明する。図４は、クレセントの施錠状態における平面図（図４（ａ））及び右側面図（図４（ｂ））である。また、図５はクレセントの施錠状態でかつロック状態における平面図（図５（ａ））及び右側面図（図５（ｂ））であり、図６はクレセントの開錠状態における平面図である。
【００２９】
図４（ｂ）に示すように、クレセントの施錠状態であって、操作ハンドル２がロックされていない状態では、操作ハンドル２のロック部２０はストッパ１０に係らない位置にある。本体部１の上面１ａと操作ハンドル２とは隙間を有しており、ストッパ１０はその隙間よりも低い突出状に形成されているので、ロック部２０がストッパ１０に係らなければ、操作ハンドル２はストッパ１０に影響されることなく図４（ａ）における時計回り方向に回動させることができる。
【００３０】
一方、図４（ａ）に示すように、クレセントの施錠状態では、操作ハンドル２はその室外側隣接位置に形成されている第２ストッパ１１の当接面１１ａに当接している。したがって、この状態で操作ハンドル２は反時計回り方向に回動しないように第２ストッパ１１によって動作を規制されている。これにより、操作ハンドル２は図４（ａ）の位置よりも室外側に動作しないので、操作ハンドル２の不要な動作を排除することができる。これにより、障子やクレセント自身の破損を防ぐことができる。
【００３１】
図５（ａ）に示すように、操作ハンドル２のロック部２０をストッパ１０の隣接位置までスライドさせることで、操作ハンドル２をロックした状態にすることができる。ロック部２０は、操作ハンドル２から本体部１の上面１ａ側に突出しているので、この状態では図５（ｂ）に示すように、ロック部２０はストッパ１０に係った状態となり、しかもロック部２０はストッパ１０に当接した状態となる。これによって、操作ハンドル２はストッパ１０によって図５（ａ）における時計回り方向の回動を規制される。また、この際に側面溝２１の露出する部分には操作ハンドル２とは異なる色に彩色されたマーカー部２１ａが形成されている。マーカー部２１ａは、例えば操作ハンドル２が黒色である場合には緑色に彩色しておくことで、遠くからクレセントを見ても目立つようにすることができる。ただし、目立つような色であれば、どのように彩色してもよい。このマーカー部２１ａを設けることで、操作ハンドル２をロックした状態であるか否かを遠くからであっても容易に判別することができる。
【００３２】
また、図４の状態と同様に、図５（ａ）に示すように、操作ハンドル２は第２ストッパ１１の当接面１１ａに当接しており、反時計回り方向に回動しないようにその動作を規制されている。したがって、図５の状態では、操作ハンドル２はいずれの方向にも回動できないようにその動作が規制されているのであって、障子の施錠状態でかつ操作ハンドル２のロック状態となる。このように操作ハンドル２がロック状態であることは、本体部１の外表面に形成されたストッパ１０とロック部２０の位置関係により確認することができるので、視認性がよく、ロック状態での不要な動作を減少させることができる。
【００３３】
ロック部２０による操作ハンドル２のロックを解除し、図４の状態とした上で操作ハンドル２を時計回り方向に回動させると、爪状部４による受け金具３２に対する係合は解除され、クレセントは開錠状態となる。図５には操作ハンドル２を図４や図５の状態から約１８０°回動させた状態を示す。この図に示すように、開錠状態となった操作ハンドル２は、その室外側隣接位置に形成されている第３ストッパ１２の当接面１２ａに当接し、それ以上の回動を規制される。すなわち、操作ハンドル２は第２ストッパ１１及び第３ストッパ１２によって、その回動する角度範囲を約１８０°に規制されている。
【００３４】
以上のように、ストッパ１０とロック部２０によって施錠状態の操作ハンドル２の回動がロックされ、第２ストッパ１１と第３ストッパ１２によって操作ハンドル２の回動が約１８０°の範囲に規制されることにより、ロック状態の視認性がよく、かつ不要な回動動作を排除することができる。特に、クレセントが警報機能を備えているので、クレセントの不要な動作を排除することにより、誤報を防ぐことができる。
【００３５】
これまで本発明の実施形態について説明したが、本発明の適用は本実施形態には限られず、その技術的思想の範囲において様々に適用されうるものである。次に、本発明を適用した第２の実施形態について説明する。第１の実施形態では、クレセントが警報機能を備えるように、本体部１に機器を内蔵していたが、警報機能を有しない通常のクレセントであっても本発明を適用することができる。
【００３６】
図７には本発明の第２の実施形態におけるクレセントの全体斜視図を示す。第１の実施形態では、本体部１を警報機能のための各機器を内蔵できる大きさに形成していたのに対し、警報機能を有しないクレセントでは、図７に示すように本体部１を小さくすることができる。本実施形態の本体部１は第１の実施形態における本体部１と同様に箱形に形成され、またその幅も略同幅に形成されている。ただし、長手方向の長さは短く形成されており、操作ハンドル２もそれに伴って短くされている。また、本体部１の高さも低く形成されており、障子の召合框に設けた際にあまり突出しないようにされている。
【００３７】
操作ハンドル２の動作を規制するための構造については第１の実施形態と同様である。本体部１にストッパ１０と第２ストッパ１１及び第３ストッパ１２を備え、操作ハンドル２にはスライド自在なロック部２０を設けている。図７ではロック部２０がストッパ１０に係らない位置にあって、操作ハンドル２は時計回り方向に回動自在とされている。ロック部２０をストッパ１０の隣接位置にスライドさせると、ロック部２０とストッパ１０が当接して、操作ハンドル２の回動をロックする。また、第２ストッパ１１及び第３ストッパ１２によれば、操作ハンドル２の回動範囲を約１８０°に規制することができる。
【００３８】
この実施形態におけるクレセントによれば、本体部１を小さく形成しているので、障子の召合框において、クレセントをあまり目立たないようにすることができ、意匠性に優れたサッシとすることができる。
【図面の簡単な説明】
【００３９】
【図１】本実施形態におけるクレセントの全体斜視図である。
【図２】クレセントの召合框に対する取付図である。
【図３】クレセントの分解斜視図である。
【図４】クレセントの施錠状態における平面図及び右側面図である。
【図５】クレセントの施錠状態でかつロック状態における平面図及び右側面図である。
【図６】クレセントの開錠状態における平面図である。
【図７】第２の実施形態におけるクレセントの全体斜視図である。
【符号の説明】
【００４０】
１    本体部
１ａ  上面
２    操作ハンドル
３    施錠金具
４    爪状部
１０    ストッパ
１１    第２ストッパ
１１ａ  当接面
１２    第３ストッパ
１２ａ  当接面
２０    ロック部
２１    側面溝
２２    軸部
３０    室内側召合框
３１    室外側召合框
３２    受け金具
【図１】
2005232726.tif 000003
【図２】
2005232726.tif 000004
【図３】
2005232726.tif 000005
【図４】
2005232726.tif 000006
【図５】
2005232726.tif 000007
【図６】
2005232726.tif 000008
【図７】
2005232726.tif 000009